【手続補正書】
【提出日】平成22年7月5日(2010.7.5)
【手続補正１】
【補正対象書類名】特許請求の範囲
【補正対象項目名】請求項６
【補正方法】変更
【補正の内容】
【請求項６】
請求項３〜５のいずれか１項に記載のコネクタにおいて、前記第１のガイド突起に向けて突出し前記第１のガイド突起に対応した形状の第３のガイド突起を前記締結部材の一端部に設け、前記第２のガイド突起に向けて突出し前記第２のガイド突起に対応した形状の第４のガイド突起を前記締結部材の他端部に設けることを特徴とするコネクタ。
【手続補正２】
【補正対象書類名】特許請求の範囲
【補正対象項目名】請求項１２
【補正方法】変更
【補正の内容】
【請求項１２】
請求項９〜１１のいずれか１項に記載のコネクタにおいて、前記第１のガイド突起に向けて突出し前記第１のガイド突起に対応した形状の第３のガイド突起を前記締結部材の一端部に設け、前記第２のガイド突起に向けて突出し前記第２のガイド突起に対応した形状の第４のガイド突起を前記締結部材の他端部に設けることを特徴とするコネクタ。
【手続補正３】
【補正対象書類名】明細書
【補正対象項目名】０００４
【補正方法】変更
【補正の内容】
【０００４】
フィルタは流入側の流体ポートと流出側の流体ポートが設けられた連結ヘッドと、これに組み付けられて空気中から除去した水滴や埃を収容するためのボウルとを有しており、ボウルが連結ヘッドよりも下側となるようにして空気圧回路に取り付けられる。ルブリケータも潤滑油を収容するボウルが下側となるように空気圧回路に取り付けられている。このように、フィルタやルブリケータを設置する際には上下の方向性を持たせる必要があり、フィルタに対してレギュレータを連結する場合には、レギュレータはフィルタに対応させて連結ヘッドよりも弁組立体が下側となるようにフィルタに連結されている。したがって、流体機器のそれぞれの機能部品が下側に揃うようにして調質ユニットは組み立てられている。
【手続補正４】
【補正対象書類名】明細書
【補正対象項目名】００２１
【補正方法】変更
【補正の内容】
【００２１】
したがって、第１の流体機器に隣接させて第２の流体機器を連結する際に、第１の流体機器の周囲に設ける必要がある周囲のスペースに応じて第２の流体機器の姿勢を設定することにより、周囲のスペースに他の機器を配置することが可能となり、このスペースを有効に活用することができる。
【手続補正５】
【補正対象書類名】明細書
【補正対象項目名】００６１
【補正方法】変更
【補正の内容】
【００６１】
図１５および図１８に示すように、連結ブロック４１のスペーサ部４３はフランジ２２，３１に対応して各辺の寸法Ｍのほぼ正方形となっており、操作部４７の上下両側には取付孔４９が形成されたブラケット４８が突出して設けられている。操作部４７の中央部に設けられた舌部５１の上側つまり操作部４７の上端部には、ガイド突起７３がスペーサ部４３の両面に対応させて設けられている。ガイド突起７３は舌部５１と平行となって操作部４７の内面から突出しており、フィルタ１０のガイド孔７０に対応した断面円形状をしている。このように、連結ブロック４１は、ガイド突起７３が操作部４７の上端部のみに設けられ上下に方向性を有しており、フィルタ１０に対してガイド突起７３が上側となるように装着される。これに対し、レギュレータ１１はガイド孔７２が４つの締結面のそれぞれの両端部に設けられているので、ハンドル１９を上下方向および水平方向のいずれの向きとなるようにしても連結ブロック４１に対して装着される。
【手続補正６】
【補正対象書類名】明細書
【補正対象項目名】００６２
【補正方法】変更
【補正の内容】
【００６２】
同様に、締結部材５７の上端部には連結ブロック４１のガイド突起７３に対応した断面円形のガイド突起７５が設けられている。したがって、締結部材５７はフィルタ１０に対してガイド突起７５が上側となるように装着される。これに対し、レギュレータ１１はガイド孔７２が４つの締結面のそれぞれの両端部に設けられているので、ハンドル１９を上下方向および水平方向のいずれの向きとなるようにしても連結ブロック４１に対して装着される。
【手続補正７】
【補正対象書類名】明細書
【補正対象項目名】００６４
【補正方法】変更
【補正の内容】
【００６４】
一方、上下関係を有していないレギュレータ１１には４つの締結面のそれぞれの両端部にガイド突起７３，７５を挿入可能なガイド孔７２を設けたので、上下左右の任意の姿勢としてコネクタ１３を装着することができる。なお、フィルタ１０の縦方向をむくとともに相互に平行となった２つの締結面の下端部のみにガイド孔７０を設けるようにするとともに、連結ブロック４１の操作部４７および締結部材５７の下端部のみにガイド突起７３，７５を設けるようにしても良い。
【手続補正８】
【補正対象書類名】明細書
【補正対象項目名】００６６
【補正方法】変更
【補正の内容】
【００６６】
図１９に示すように、フィルタ１０のフランジ２１，２２は図１６に示すフィルタ１０のフランジ２１，２２とほぼ同様の形状となっている。縦方向をむくとともに相互に平行となった２つの締結面の上端部つまりクランプ溝２５の上側には、長さ寸法Ｍ１の断面円形のガイド孔７０が開口しており、この締結面の下端部つまりクランプ溝２５の下側には、ガイド孔７０よりも長寸となった長さ寸法Ｍ２の断面円形のガイド孔７１が開口している。このように、上下の方向性を有するフィルタ１０のフランジ２１，２２には、縦方向をむくとともに相互に平行となった２つの締結面の上端部および下端部にそれぞれ長さ寸法が相違したガイド孔７０，７１が設けられており、フィルタ１０は上下に相違した形状となっている。ガイド孔７０は第１のガイド凹部であり、ガイド孔７１は第２のガイド凹部である。
【手続補正９】
【補正対象書類名】明細書
【補正対象項目名】００６９
【補正方法】変更
【補正の内容】
【００６９】
同様に、締結部材５７の上端部と下端部にはそれぞれ連結ブロック４１のガイド突起７３，７４に対応した長さ寸法Ｍ１の断面円形のガイド突起７５および長さ寸法Ｍ２の断面円形のガイド突起７６が設けられている。したがって、締結部材５７はフィルタ１０に対してガイド突起７５が上側、ガイド突起７６が下側となるように装着される。これに対し、レギュレータ１１はガイド突起７５，７６のいずれをも挿入可能なガイド孔７２が４つの締結面のそれぞれの両端部に設けられているので、ハンドル１９を上下方向および水平方向のいずれの向きとなるようにしても連結ブロック４１に対して装着される。ガイド突起７５は第３のガイド突起であり、ガイド突起７６は第４のガイド突起である。
【手続補正１０】
【補正対象書類名】明細書
【補正対象項目名】００７５
【補正方法】変更
【補正の内容】
【００７５】
図２４に示すように、連結ブロック４１のスペーサ部４３は図１８に示す連結ブロック４１とほぼ同様の形状となっており、操作部４７の上端部と下端部には、それぞれスペーサ部４３の両面に対応させてガイド突起７３，７４が設けられている。上側のガイド突起７３はガイド孔７０に対応した直径Ｄの断面円形状をしており、下側のガイド突起７４はガイド孔７１に対応した１辺の寸法Ｄの断面正方形状をしている。このように、連結ブロック４１は、断面形状が相違するガイド突起７３，７４がそれぞれ上端部および下端部に設けられ上下に方向性を有しており、フィルタ１０に対してガイド突起７３が上側、ガイド突起７４が下側となるように装着される。これに対し、レギュレータ１１はガイド突起７３，７４のいずれをも挿入可能なガイド孔７２が４つの締結面のそれぞれの両端部に設けられているので、ハンドル１９を上下方向および水平方向のいずれの向きとなるようにしても連結ブロック４１に対して装着される。
【手続補正１１】
【補正対象書類名】明細書
【補正対象項目名】００７６
【補正方法】変更
【補正の内容】
【００７６】
同様に、締結部材５７の上端部と下端部にはそれぞれ連結ブロック４１のガイド突起７３，７４に対応した直径Ｄの断面円形のガイド突起７５および１辺の寸法Ｄの断面正方形のガイド突起７６が設けられている。したがって、締結部材５７はフィルタ１０に対してガイド突起７５が上側、ガイド突起７６が下側となるように装着される。これに対し、レギュレータ１１はガイド突起７５，７６のいずれをも挿入可能なガイド孔７２が４つの締結面のそれぞれの両端部に設けられているので、ハンドル１９を上下方向および水平方向のいずれの向きとなるようにしても連結ブロック４１に対して装着される。
【手続補正１２】
【補正対象書類名】明細書
【補正対象項目名】００８２
【補正方法】変更
【補正の内容】
【００８２】
図２７に示すように、連結ブロック４１のスペーサ部４３は図１８に示す連結ブロック４１とほぼ同様の形状となっており、操作部４７の上端部と下端部には、それぞれスペーサ部４３の両面に対応させてガイド突起７３，７４が設けられている。上側のガイド突起７３はガイド孔７０に対応した直径Ｄ１の断面円形状をしており、下側のガイド突起７４はガイド孔７１に対応した直径Ｄ２の断面円形状をしている。このように、連結ブロック４１は、断面形状が相違するガイド突起７３，７４がそれぞれ上端部および下端部に設けられ上下に方向性を有しており、フィルタ１０に対してガイド突起７３が上側、ガイド突起７４が下側となるように装着される。これに対し、レギュレータ１１はガイド突起７３，７４のいずれをも挿入可能なガイド孔７２が４つの締結面のそれぞれの両端部に設けられているので、ハンドル１９を上下方向および水平方向のいずれの向きとなるようにしても連結ブロック４１に対して装着される。
【手続補正１３】
【補正対象書類名】明細書
【補正対象項目名】００８３
【補正方法】変更
【補正の内容】
【００８３】
同様に、締結部材５７の上端部と下端部にはそれぞれ連結ブロック４１のガイド突起７３，７４に対応した直径Ｄ１の断面円形のガイド突起７５および直径Ｄ２の断面円形のガイド突起７６が設けられている。したがって、締結部材５７はフィルタ１０に対してガイド突起７５が上側、ガイド突起７６が下側となるように装着される。これに対し、レギュレータ１１はガイド突起７５，７６のいずれをも挿入可能なガイド孔７２が４つの締結面のそれぞれの両端部に設けられているので、ハンドル１９を上下方向および水平方向のいずれの向きとなるようにしても連結ブロック４１に対して装着される。
【手続補正１４】
【補正対象書類名】明細書
【補正対象項目名】００８６
【補正方法】変更
【補正の内容】
【００８６】
本発明は前記実施の形態に限定されるものではなく、その要旨を逸脱しない範囲で種々変更可能である。例えば、フィルタ１０、レギュレータ１１およびルブリケータ１２以外の流体機器を連結するようにしても良く、方向性を有する流体機器にはフィルタ１０やルブリケータ１２と同様のフランジを設けるようにし、方向性を有さない流体機器にはレギュレータ１１と同様のフランジを設けるようにする。方向性を有しない流体機器としては、減圧弁つまりレギュレータ１１以外に残圧排気弁等のような種々の弁がある。また、フィルタ１０とルブリケータ１２の上下のガイド溝２８，２９やガイド孔７０，７１の形状は、相互に相違していれば種々変更可能である。
【手続補正１５】
【補正対象書類名】明細書
【補正対象項目名】００８８
【補正方法】変更
【補正の内容】
【００８８】
１０      フィルタ（第１の流体機器）
１１      レギュレータ（第２の流体機器）
１２      ルブリケータ（第１の流体機器）
１３      コネクタ
１４      連結ヘッド
１５      ボウル
１８      連結ヘッド
１９      ハンドル
２０      突き当て面
２１，２２    フランジ
２３ａ，２３ｂ    流体ポート
２４      クランプ部
２５      クランプ溝（ガイド凹部）
２６，２７    ガイド部
２８，２９    ガイド溝（ガイド凹部）
３０      突き当て面
３１，３２    フランジ
３３ａ，３３ｂ    流体ポート
３４      クランプ部
３５      クランプ溝
３６      楔面
３７      ガイド面
３８      楔面
４１      連結ブロック
４２      シール面
４３      スペーサ部
４４      貫通孔
４６      シール材
４７      操作部
４８      ブラケット
５１      舌部
５２      楔面
５３，５４  ガイド突起
５５      ガイド面
５７      締結部材
６１      舌部
６２      楔面
６３，６４  ガイド突起
６５      ガイド面
６６      突起部
６７      取付リング部
７０，７１  ガイド孔（ガイド凹部）
７２      ガイド孔（ガイド凹部）
７３，７４  ガイド突起
７５，７６  ガイド突起